(57)【要約】本発明は、文字メッセージに含まれている電話番号にハイパーリンク機能を提供する移動通信端末機及びその方法に関するものである。本発明は、文字メッセージに含まれている電話番号にハイパーリンク機能を提供する方法であって、（ａ）上記文字メッセージを受信して出力し、同時に上記文字メッセージに上記電話番号が含まれているか否かを判断するステップと、（ｂ）上記ステップ（ａ）で、上記文字メッセージに上記電話番号が含まれていると判断する場合、上記電話番号に選択移動バーが位置しているか否かを判断するステップと、（ｃ）上記ステップ（ｂ）で、上記電話番号に上記選択移動バーが位置していると判断する場合、キー入力部の通話キーボタン入力信号または住所録キーボタン入力信号が受信されているか否かを判断するステップと、（ｄ）上記通話キーボタン入力信号または上記住所録キーボタン入力信号が受信される場合、上記電話番号に電話通話を試みたり上記電話番号を格納するステップと、を含むことを特徴とする文字メッセージに含まれている電話番号にハイパーリンク機能を提供する方法を提供する。本発明によると、文字メッセージを受信する場合、文字メッセージに含まれている電話番号に直ちに電話かけまたは住所録格納機能を実行できるので、電話番号を覚えたり他のメモ紙に書き写さなければならない不便をなくすことができる効果がある。
2008544629.tif 000002
【特許請求の範囲】
【請求項１】
文字メッセージに含まれている電話番号にハイパーリンク機能を提供する方法であって、
（ａ）前記文字メッセージを受信して出力し、同時に前記文字メッセージに前記電話番号が含まれているか否かを判断するステップと、
（ｂ）前記ステップ（ａ）で、前記文字メッセージに前記電話番号が含まれていると判断する場合、前記電話番号に選択移動バーが位置しているか否かを判断するステップと、
（ｃ）前記ステップ（ｂ）で、前記電話番号に前記選択移動バーが位置していると判断する場合、キー入力部の通話キーボタン入力信号または住所録キーボタン入力信号が受信されているか否かを判断するステップと、
（ｄ）前記通話キーボタン入力信号または前記住所録キーボタン入力信号が受信される場合、前記電話番号に電話通話を試みたり前記電話番号を格納するステップと、
を含むことを特徴とする文字メッセージに含まれている電話番号にハイパーリンク機能を提供する方法。
【請求項２】
（ｅ）受信した前記文字メッセージに含まれている複数個の電話番号のうち、１つが選択されて、電話番号選択信号を受信するステップと、
（ｆ）前記文字メッセージに電話かけメニューと住所録格納メニューを生成及びリンクして、電話かけメニュー入力信号が受信される場合、前記電話番号選択信号に含まれている選択電話番号に前記電話通話を試みて、住所録格納メニュー入力信号が受信される場合、前記住所録に前記選択電話番号を格納するステップと、
をさらに含むことを特徴とする請求項１記載の文字メッセージに含まれている電話番号にハイパーリンク機能を提供する方法。
【請求項３】
（ｇ）前記ステップ（ｂ）を実行した後、前記選択移動バーが位置している前記電話番号が前記移動通信端末機の前記住所録に既格納されているか否かを判断して、既格納されていると判断すると、前記電話番号を前記住所録に格納するステップを省略することを特徴とする請求項１記載の文字メッセージに含まれている電話番号にハイパーリンク機能を提供する方法。
【請求項４】
文字メッセージに含まれている電話番号にハイパーリンク機能を提供する方法であって、
（ａ）前記文字メッセージを受信して出力し、同時に前記文字メッセージに前記電話番号が含まれているか否かを判断するステップと、
（ｂ）前記ステップ（ａ）で、前記文字メッセージに前記電話番号が含まれていると判断する場合、前記電話番号に選択移動バーが位置しているか否かを判断するステップと、
（ｃ）前記ステップ（ｂ）で、前記電話番号に前記選択移動バーが位置していると判断する場合、キー入力部のメニューキーボタン入力信号が受信されているか否かを判断するステップと、
（ｄ）前記ステップ（ｃ）で、前記メニューキーボタン入力信号が受信される場合、移動通信端末機の個別機能モードが一つ以上含まれたメニューが出力するステップと、
（ｅ）前記個別機能モードのうち、一つの個別機能モード選択信号が受信される場合、受信された前記個別機能モード選択信号に従って選択された前記個別機能モードの機能を実行するステップと、
を含むことを特徴とする文字メッセージに含まれている電話番号にハイパーリンク機能を提供する方法。
【請求項５】
前記個別機能モードは、格納機能、電話かけ機能、文字送り機能を含んでなされることを特徴とする請求項４記載の文字メッセージに含まれている電話番号にハイパーリンク機能を提供する方法。
【請求項６】
文字メッセージに含まれている電話番号にハイパーリンク機能を提供する移動通信端末機であって、
多数の数字キー、文字キー、通話キー、及び終了キーを具備してダイヤリング（Dialing）、メニュー選択、通話終了、及び命令入力のためのキー選択機能を提供し、前記文字メッセージに含まれている複数個の電話番号中の一つを選択するために選択移動バーを移動させて位置し、前記選択移動バーが位置した前記電話番号を選択する場合、電話番号選択信号を生成して転送し、前記文字メッセージに形成される電話かけメニューまたは住所録格納メニューのうち、どれか一つを選択する場合、メニュー選択信号を生成して転送するキー入力部と、
電源の使用程度、電波の受信強度、前記移動通信端末機の全般的な動作状態を表示し、前記文字メッセージにおいて、前記電話番号、前記電話かけメニュー、及び前記住所録格納メニューが含まれているユーザインターフェース画面を表示するディスプレイ部と、
受信される前記文字メッセージに含まれている数字文字列を検索し、前記数字文字列が前記電話番号と判断されれば、前記キー入力部を利用して前記電話番号に選択移動バーを位置させた後、前記キー入力部の通話キーボタン信号または住所録キーボタン信号が受信される場合、前記通話キーボタン信号が受信されれば、前記電話番号に電話通話を試みて、前記住所録キーボタン信号が受信されれば、前記電話番号を住所録に格納する機能を遂行する電話番号処理プログラムが内蔵されているメモリと、
決まった通信プロトコルに従いデータの送受信が処理されるように制御し、前記メモリに格納されている前記電話番号処理プログラムを駆動して前記文字メッセージに含まれている前記電話番号に通話／格納機能を提供するように制御するマイクロプロセッサと、
を含むことを特徴とする文字メッセージに含まれている電話番号にハイパーリンク機能を提供する移動通信端末機。
【請求項７】
前記移動通信端末機は、
前記電話かけメニューまたは前記住所録格納メニューが選択されて、電話かけメニュー入力信号が受信されれば、前記電話番号選択信号に含まれている選択電話番号に前記電話かけを試みて、住所録格納メニュー入力信号が受信されれば、前記選択電話番号を前記住所録に格納することを特徴とする請求項６記載の文字メッセージに含まれている電話番号にハイパーリンク機能を提供する移動通信端末機。
【請求項８】
前記移動通信端末機は、
前記文字メッセージを受信する場合、前記電話番号処理プログラムを駆動して前記文字メッセージに含まれている前記電話番号に前記ハイパーリンクを形成して前記選択移動バーが移動して前記電話番号に位置するように構成することを特徴とする請求項６記載の文字メッセージに含まれている電話番号にハイパーリンク機能を提供する移動通信端末機。
【請求項９】
前記移動通信端末機は、
前記ハイパーリンクされている前記電話番号を選択して前記電話番号選択信号を生成する場合、前記電話番号が含まれている前記文字メッセージと前記電話かけメニューまたは前記住所録格納メニューがリンクされている前記ユーザインターフェース画面が出力されることを特徴とする請求項６記載の文字メッセージに含まれている電話番号にハイパーリンク機能を提供する移動通信端末機。
【請求項１０】
前記移動通信端末機は、
前記文字メッセージに含まれている電話番号に前記選択移動バーが位置している状態で前記移動通信端末機のメニューキーボタン信号が受信される場合、前記移動通信端末機の個別機能モードが一つ以上含まれているメニューが出力され、出力された前記個別機能モードの中の１つが選択されて、選択された前記個別機能モードの機能を実行することを特徴とする請求項６記載の文字メッセージに含まれている電話番号にハイパーリンク機能を提供する移動通信端末機。
【請求項１１】
前記個別機能モードは、格納機能、電話かけ機能、及び文字送り機能を含んでなることを特徴とする請求項１０記載の文字メッセージに含まれている電話番号にハイパーリンク機能を提供する移動通信端末機。
【発明の詳細な説明】
【技術分野】
【０００１】
本発明は、文字メッセージに含まれている電話番号にハイパーリンク機能を提供する移動通信端末機及びその方法に関し、より詳しくは、文字メッセージを受信する場合、文字メッセージに含まれている電話番号を検索及び抽出し、抽出された電話番号に直接電話通話を試みたり住所録に格納する機能をする文字メッセージに含まれている電話番号にハイパーリンク機能を提供する移動通信端末機及びその方法に関する。
【背景技術】
【０００２】
移動通信技術が発展するにつれて、移動通信端末機の小型、軽量化がなされながら個人携帯型移動電話（セルラーフォン、ＰＣＳフォン等）が急激に拡散されている。このように、移動通信端末機が普遍化するによって移動通信端末機を利用した多様な移動通信サービスが開発されている。
【０００３】
一般に、移動通信端末機のユーザが使用する移動通信サービスとしては、基本的に、対話者間の音声をやりとりする音声通話、文字をやりとりするＳＭＳ（Shot Message Service）などの文字通信、音声を格納してから要請により転送する音声私書箱などの音声メッセージ転送が挙げられる。
【０００４】
それだけでなく、最近は、無線でインターネットサービスに接続できる無線インターネットサービス、移動通信端末機が移動するにつれて随時に現在の位置を把握できるように支援する位置追跡機能などが登場している。
【０００５】
その中で、文字メッセージサービスは、ＳＭＳ（Shot Message Service；以下、‘ＳＭＳ’と称する）と呼ばれる両方向データ無線呼び出しサービスであって、端末と端末との間に最大１５０バイトの速度でデータを転送し、総８０バイトの文字転送が可能である。文字メッセージサービスは、別途の付加装備なくても、発送時点とほぼ同時に内容伝達が可能であり、ユーザの便宜のために対話形式で情報が提供されるので、誰でも容易に使用できるという点で、青少年は勿論、情報利用に門外漢である中壮年層の利用も増えている。
【０００６】
また、文字メッセージサービスは、初期には主に音声通話の補助手段としての意思疎通手段に利用されたが、低廉な発送料金を基盤にして徐々にマーケッティングと顧客管理手段にその用途が拡大されている。このサービスを利用すると、天気予報、ニュース、株式情報など、日常生活に必要な各種情報検索サービスの提供を受けることができ、最近は、クレジットカード会社が去來承認内容を文字メッセージを通じて転送するサービスを導入する等、電子決済、電子商去來にまで徐々にその活用範囲が拡大されている。
【０００７】
一般に、文字メッセージは、移動通信端末機に備えられたアプリケーションプログラム、即ち、ＳＭＳ編集機を利用して作成する。ユーザが端末機に備えられた文字メッセージメニューを選択すれば、ＳＭＳ編集機は制御部の制御に従い液晶画面にＳＭＳメッセージを作成することができるメインウィンドウをディスプレイする。メインウィンドウでユーザがソフトキーを利用して‘ハングル’メニューを選択すれば、ＳＭＳ編集機は、ハングル、数字、大文字、小文字、特殊文字を選択するためのサブメニューをディスプレイする。
【０００８】
したがって、ユーザはディスプレイされたサブメニューを適切に選択して文字メッセージを作成することによって、テキスト情報と電話番号、または電子メール情報が含まれた文字メッセージを作成できることになる。
【０００９】
この中で、文字メッセージに含まれている電話番号の場合、文字メッセージを受信する人が電話番号を覚えようが、でなければ他のメモ紙に書き写した後、文字メッセージアプリケーションを終了し、直接電話通話をしたり電話番号簿を開いて電話番号を格納した後、電話をかけなければならないという不便があった。
【発明の開示】
【発明が解決しようとする課題】
【００１０】
このような問題点を解決するために本発明は、文字メッセージを受信する場合、文字メッセージに含まれている電話番号を検索し、検索された電話番号にハイパーリンクを生成した後、キー操作によりハイパーリンクされている電話番号に選択移動バーを位置させた状態でキー入力部の通話キーボタンを選択すれば、該当電話番号に電話通話を試みたり、キー入力部の住所録キーボタンを選択すれば、該当電話番号の格納機能をする移動通信端末機及びその方法を提供することをその目的とする。
【００１１】
本発明の他の目的は、電話番号を含む文字メッセージと文字メッセージの下段に電話かけメニューと住所録格納メニューを生成及びリンクさせて、該当電話番号の通話／格納機能を実行できるユーザインターフェース画面を含む移動通信端末機及びその方法を提供することにある。
【課題を解決するための手段】
【００１２】
このような目的を達成するために本発明は、文字メッセージに含まれている電話番号にハイパーリンク機能を提供する方法であって、（ａ）上記文字メッセージを受信して出力し、同時に上記文字メッセージに上記電話番号が含まれているか否かを判断するステップと、（ｂ）上記ステップ（ａ）で、上記文字メッセージに上記電話番号が含まれていると判断する場合、上記電話番号に選択移動バーが位置しているか否かを判断するステップと、（ｃ）上記ステップ（ｂ）で、上記電話番号に上記選択移動バーが位置していると判断する場合、キー入力部の通話キーボタン入力信号または住所録キーボタン入力信号が受信されているか否かを判断するステップと、（ｄ）上記通話キーボタン入力信号または上記住所録キーボタン入力信号が受信される場合、上記電話番号に電話通話を試みたり上記電話番号を格納するステップと、を含むことを特徴とする文字メッセージに含まれている電話番号にハイパーリンク機能を提供する方法を提供する。
【００１３】
また、本発明の他の目的によると、文字メッセージに含まれている電話番号にハイパーリンク機能を提供する方法であって、（ａ）上記文字メッセージを受信して出力し、同時に上記文字メッセージに上記電話番号が含まれているか否かを判断するステップと、（ｂ）上記ステップ（ａ）で、上記文字メッセージに上記電話番号が含まれていると判断する場合、上記電話番号に選択移動バーが位置しているか否かを判断するステップと、（ｃ）上記ステップ（ｂ）で、上記電話番号に上記選択移動バーが位置していると判断する場合、キー入力部のメニューキーボタン入力信号が受信されているか否かを判断するステップと、（ｄ）上記ステップ（ｃ）で、上記メニューキーボタン入力信号が受信される場合、移動通信端末機の個別機能モードが一つ以上含まれたメニューが出力するステップと、（ｅ）上記個別機能モードのうち、一つの個別機能モード選択信号が受信される場合、受信された上記個別機能モード選択信号に従って選択された上記個別機能モードの機能を実行するステップと、を含むことを特徴とする文字メッセージに含まれている電話番号にハイパーリンク機能を提供する方法を提供する。
【００１４】
また、本発明の更に他の目的によると、文字メッセージに含まれている電話番号にハイパーリンク機能を提供する移動通信端末機であって、多数の数字キー、文字キー、通話キー、及び終了キーを具備してダイヤリング（Dialing）、メニュー選択、通話終了、及び命令入力のためのキー選択機能を提供し、上記文字メッセージに含まれている複数個の電話番号中の一つを選択するために選択移動バーを移動させて位置し、上記選択移動バーが位置した上記電話番号を選択する場合、電話番号選択信号を生成して転送し、上記文字メッセージに形成される電話かけメニューまたは住所録格納メニューのうち、どれか一つを選択する場合、メニュー選択信号を生成して転送するキー入力部と、電源の使用程度、電波の受信強度、上記移動通信端末機の全般的な動作状態を表示し、上記文字メッセージにおいて、上記電話番号、上記電話かけメニュー、及び上記住所録格納メニューが含まれているユーザインターフェース画面を表示するディスプレイ部と、受信される上記文字メッセージに含まれている数字文字列を検索し、上記数字文字列が上記電話番号と判断されれば、上記キー入力部を利用して上記電話番号に選択移動バーを位置させた後、上記キー入力部の通話キーボタン信号または住所録キーボタン信号が受信される場合、上記通話キーボタン信号が受信されれば、上記電話番号に電話通話を試みて、上記住所録キーボタン信号が受信されれば、上記電話番号を住所録に格納する機能を遂行する電話番号処理プログラムが内蔵されているメモリと、決まった通信プロトコルに従いデータの送受信が処理されるように制御し、上記メモリに格納されている上記電話番号処理プログラムを駆動して上記文字メッセージに含まれている上記電話番号に通話／格納機能を提供するように制御するマイクロプロセッサとを含むことを特徴とする文字メッセージに含まれている電話番号にハイパーリンク機能を提供する移動通信端末機を提供する。
【発明の効果】
【００１５】
本発明によると、文字メッセージを受信する場合、文字メッセージに含まれている電話番号に直ちに電話かけまたは住所録格納機能を実行できるので、電話番号を覚えたり他のメモ紙へ書き写さなければならない不便さをなくすことができる効果がある。
【発明を実施するための最良の形態】
【００１６】
以下、本発明の好ましい実施形態を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００１７】
図１は、本発明の好ましい実施形態に係る文字メッセージに含まれている電話番号にハイパーリンク機能を提供する移動通信端末機の内部構成を示すブロック構成図である。
【００１８】
本発明の好ましい実施形態に係る移動通信端末機は、プログラムメモリ１００、バッファーメモリ１１０、モード状態格納部１２０、マイクロプロセッサ１３０、キー入力部１４０、ディスプレイ部１５０、ディジタル信号処理部１６０、ベースバンド変換部１７０、スピーカ１８０、マイクロホン１９０、アンテナ１９１、及びＲＦ信号処理部１９２などを含んで構成される。
【００１９】
プログラムメモリ１００には移動通信端末機の動作のためのリアルタイム処理機能を有するＯＳ（Operating System）ソフトウェアと呼処理と関連した機能を処理する呼処理ソフトウェアなどが格納されており、本発明の実施形態に従い受信する文字メッセージに含まれている数字文字列を検索し、検索された数字文字列が電話番号であるか否かを判断して、電話番号と判断される場合、ユーザのキーボタン選択（通話キーボタンまたは住所録キーボタン）により該当電話番号の通話／格納機能を実行する電話番号処理プログラムが格納されている。
【００２０】
電話番号処理プログラムは、移動通信端末機の文字メッセージインターフェースを通じて文字メッセージが受信される場合、文字メッセージに含まれている電話番号を抽出する電話番号検索アルゴリズムを通じて電話番号に該当する数字文字列を判断した後、抽出された数字文字列、即ち電話番号に青色テキストで、ハイパーリンクを自動で生成する。
【００２１】
また、電話番号処理プログラムは、文字メッセージに電話番号が含まれている場合、文字メッセージの下段に電話かけメニューと住所録格納メニューを生成及びリンクし、リンクされたメニュー選択信号（電話かけメニュー信号または住所録格納メニュー信号）の受信に従って文字メッセージに含まれている電話番号の電話かけ／格納機能を実行するように制御する。
【００２２】
また、電話番号処理プログラムは、キー入力部１４０に備えられている数字キー、ファンクションキー、カーソル移動キーなどを操作してハイパーリンクで表示された電話番号に選択移動バーを位置させた後、移動通信端末機の通話キーボタン信号または住所録キーボタン信号が受信されれば、通話キーボタン信号が受信される場合、選択移動バーが位置した電話番号に電話通話を試みて、住所録キーボタン信号が受信される場合、選択移動バーが位置した電話番号を住所録に格納する機能をする。
【００２３】
ここで、電話番号検索アルゴリズムは、文字メッセージに含まれている、ハングル、英文、数字文字列など、文字列種類を判断し、数字文字列が検索される場合、数字文字列を順次に検索して、スペース、ハイフン（−）、ドット（．）、スラッシュ（／）情報のような区切り記号などが一つ以上抽出されるか否かを判断し、区切り記号が抽出される場合、区切り記号を除外した数字情報が７個以上であると判断すると、数字文字列が電話番号であると判断することができる。（‘０１１．１２３．１２３４’、‘０１１／１２３／１２３４’、‘０１１１２３１２３４’、‘１２３１２３４’等）
【００２４】
ここで、数字文字列検索時、数字の以外に文字、括弧のような情報が検索されると、数字文字列は電話番号でないと判断することになる。
【００２５】
このような過程を繰り返して文字メッセージに含まれている電話番号を検索、抽出することになる。勿論、本発明の実施形態のような電話番号検索アルゴリズムは、説明の便宜のためのものであり、文字メッセージ内で速かに電話番号を検索するアルゴリズムは多様に構成することができる。
【００２６】
一方、電話番号処理プログラムは、移動通信端末機の生産段階で、プログラムメモリ１００に搭載することもでき、無線インターネット接続などにより移動通信事業者サーバーに接続してダウンロードして搭載することもできる。
【００２７】
バッファーメモリ１１０は、ＲＯＭ、ＥＥＰＲＯＭ、ＲＡＭ、フラッシュメモリ、揮発性、不揮発性メモリなどを含む概念であって、このうち、どれか一つを使用し、移動通信端末機の内部回路基板に実装される。通常、ＲＯＭ領域にはマイクロプロセッサ１３０の動作プログラム、システムプログラムが格納され、必要によって電気的に削除するか格納することができる。また、ＲＯＭにはプログラムメモリ１００に設置された電話番号処理プログラムなど、各種ソフトウェアの駆動と関連して発生するプログラムの変数や状態情報が格納されている。
【００２８】
ＥＥＰＲＯＭは、電気的に削除するか格納することができるメモリであって、ＮＡＭ（Number Assignment Module）パラメータ、電話番号、名前、短文メッセージなどの格納用データが記録される不揮発性メモリである。
【００２９】
また、バッファーメモリ１１０は、通常的に移動通信端末機の動作プログラム実行時、データバッファー（Buffer）としての役割を遂行し、キー入力部１４０により入力されたデータを仮に格納したり、外部から移動通信端末機に受信される文字やイメージなどのデータと本発明の実施形態に従って文字メッセージに含まれている複数個の電話番号のうち、キー入力部１４０を利用して選択した電話番号に対応する選択番号情報、リンクされた電話かけメニューと住所録格納メニューの選択メニュー情報などをデータ情報として格納する。
【００３０】
モード状態格納部１２０は、キー入力部１４０により選択された移動通信端末機の現在動作モードを状態フラグ（Flag）（０、１、２、・・・）で格納するが、マイクロプロセッサ１３０は、移動通信端末機が受信モード、発信モード、格納モード、通話モード、検索モード、電話番号処理モードなどを区切るために、各々のモード毎に固有な状態フラグを割り当ててモード状態格納部１２０を更新する。特に、本発明の実施形態に従う電話番号処理モードを状態フラグで格納する。
【００３１】
マイクロプロセッサ１３０は、モード状態格納部１２０に格納されている状態フラグを参照してネットワークと送受信データの決まった規約に従い通信プロトコルが処理されるように移動通信端末機の全般的な動作を制御する。特に、マイクロプロセッサ１３０は、文字メッセージインターフェースを通じて転送された文字メッセージをディスプレイ部１５０に表示し、受信された文字メッセージで電話番号に該当する数字文字列が含まれているか否かを判断して、文字メッセージに電話番号が含まれている場合、電話番号に該当する数字文字列には青色テキストでハイパーリンクを生成する。
【００３２】
また、マイクロプロセッサ１３０は、キー入力部１４０により選択移動バーを移動して、選択した文字メッセージに含まれているハイパーリンクされている電話番号でキー入力部１４０の通話キーボタン信号または住所録キーボタン信号のうち、どれか一つのキーボタン信号が受信される場合、通話キーボタン信号が受信されれば、該当電話番号に電話通話を試みて、住所録キーボタン信号が受信されれば、電話番号簿に該当電話番号を格納するように制御する。
【００３３】
また、マイクロプロセッサ１３０は、文字メッセージに含まれているハイパーリンクされている電話番号に選択移動バーが位置している状態で、移動通信端末機のメニューキーボタンを選択すれば、‘格納’、‘電話かけ’、‘文字送り’などの機能モードがメニューとして出力されるように制御し、メニューのうち、どれか一つの機能モード選択信号が受信される場合、受信された機能モード選択信号によって選択された機能モード（通話／格納／文字送り等）を実行する。
【００３４】
また、マイクロプロセッサ１３０は、文字メッセージに含まれているハイパーリンクされている電話番号にキー入力部１４０により選択移動バーを位置させて、選択移動バーが位置した電話番号が押さえられて電話番号選択信号を受信する場合、該当する電話番号の文字メッセージと文字メッセージの下段に電話かけメニューまたは住所録格納メニューを生成及びリンクするように制御する。
【００３５】
また、ユーザが電話かけメニューまたは住所録格納メニューを選択したとき、マイクロプロセッサ１３０はそれに対応する機能を遂行するように制御する。より詳細には、電話かけメニュー選択信号を受信したときには、文字メッセージに含まれている電話番号で電話かけ機能を遂行し、住所録格納メニュー選択信号を受信したときには、選択された電話番号を住所録に格納する機能を遂行するように制御する。
【００３６】
キー入力部１４０には、多数の数字キー、文字キー、通話キー、及び終了キーが備えられて、ダイヤリング（Dialing）やメニュー選択、通話終了、命令入力のためのキー選択機能を提供する。また、ユーザはキー入力部１４０に備えられている数字キー、ファンクションキー、カーソル移動キーなどを操作して、文字メッセージに含まれている複数個の電話番号中の一つの電話番号に選択移動バーを位置して選択する場合、キー入力部１４０は該当する電話番号を選択するために電話番号選択信号を生成してマイクロプロセッサ１３０へ転送する。また、キー入力部１４０は、文字メッセージの下段に形成される電話かけメニューまたは住所録格納メニューのうち、どれか一つをキー入力部１４０を利用して選択する場合、メニュー選択信号を生成してマイクロプロセッサ１３０へ転送する。
【００３７】
ディスプレイ部１５０は、電源の使用程度、電波の受信強度、日付と時間を含んで、移動通信端末機の全般的な動作状態を表示する。また、本発明の実施形態によると、ディスプレイ部１５０はマイクロプロセッサ１３０の制御に従い文字メッセージの内容、文字メッセージでハイパーリンクされている電話番号、電話かけメニュー、または住所録格納メニューなどのユーザインターフェース画面を表示する。
【００３８】
ディジタル信号処理部１６０（Digital Signal Processor；以下、‘ＤＳＰ’と称する）は、ベースバンド変換部１７０とやりとりするオーディオデータに対して符号化（Encoding）したり復号化（Decoding）するオーディオデータ処理機能を実行し、多重経路の雑音除去のためにイコライズ機能を実行するディジタル信号処理プロセッサである。また、ディジタル信号処理部１６０は、ベースバンド変換部１７０から受信メッセージデータ（ＲＸ ＤＡＴＡ）を受信する。
【００３９】
ベースバンド変換部１７０は、スピーカ１８０、マイクロホン１９０、及びＲＦ信号処理部１９２と送受信する信号を基底帯域の信号に変換し、ディジタル−アナログ変換及びアナログ−ディジタル変換処理などの機能を実行する。したがって、ベースバンド変換部１７０は、ＤＳＰ１６０から受信したオーディオデータをオーディオ信号に変換してスピーカ１８０へ出力したり、マイクロホン１９０から入力されたオーディオ信号をオーディオデータに変換してＤＳＰ１６０へ出力する。
【００４０】
また、ベースバンド変換部１７０は、マイクロプロセッサ１３０から入力された送信メッセージデータ（ＴＸ ＤＡＴＡ）を送信メッセージ信号（ＴＸＩＱ）に変換してＲＦ信号処理部１９２へ出力したり、ＲＦ信号処理部１９２から入力された受信メッセージ信号（ＲＸＩＱ）を受信メッセージデータ（ＲＸ ＤＡＴＡ）に変換してＤＳＰ１６０へ出力する。そして、ベースバンド変換部１７０は、ＲＦ信号処理部１９２の電力（ＰＯＷＥＲ）に対する利得を自動で制御する（ＡＧＣ）。
【００４１】
スピーカ１８０は、ベースバンド変換部１７０から出力されるオーディオ信号を可聴音で出力し、マイクロホン１９０の音声入力をオーディオ信号に変換する。
【００４２】
アンテナ１９１は、ＲＦ信号を公衆へ送出したり、公衆から受信したＲＦ信号をＲＦ信号処理部１９２へ伝達する。
【００４３】
ＲＦ信号処理部１９２は、送信メッセージ信号をＲＦ（Radio Frequency）信号に変換してアンテナ１９１へ出力したり、アンテナ１９１から印加されたＲＦ信号を受信メッセージ信号（ＲＸＩＱ）に変換してベースバンド変換部１７０へ出力する。
【００４４】
図２は、本発明の好ましい実施形態に係る文字メッセージに含まれている電話番号にハイパーリンク機能を提供する方法を示すフローチャートである。
【００４５】
図２を説明する前に、移動通信端末機に電話番号処理プログラムが搭載されており、受信される文字メッセージに電話番号が含まれている場合、電話番号に該当する数字文字列に青色テキストでハイパーリンクを生成すると仮定する。
【００４６】
移動通信網と連動している文字メッセージセンター（ＳＭＳＣ）から文字メッセージの転送を受けて、移動通信端末機の文字メッセージインターフェースを介して受信した後、受信した文字メッセージを移動通信端末機のディスプレイ部１５０へ出力する（Ｓ２００）。同時に、マイクロプロセッサ１３０の制御に従い電話番号処理プログラムを駆動して電話番号検索アルゴリズムを通じて文字メッセージに電話番号が含まれているか否かを判断する（Ｓ２０２）。ステップＳ２０２で、電話番号に該当する数字文字列が文字メッセージに含まれていると判断する場合、ハイパーリンクされている電話番号に選択移動バーが位置しているか否かを判断する（Ｓ２０４）。ここで、電話番号検索アルゴリズムは、文字メッセージに含まれている、ハングル、英文、数字文字列など、文字列種類を判断し、数字文字列が検索される場合、数字文字列を順次に検索して、スペース、ハイフン（−）、ドット（．）、スラッシュ（／）情報のような区切り記号などが一つ以上抽出されるか否かを判断し、区切り記号が抽出される場合、区切り記号を除外した数字情報が７個以上であると判断すると、数字文字列が電話番号であると判断することができる。（‘０１１．１２３．１２３４’、‘０１１／１２３／１２３４’、‘０１１１２３１２３４’、‘１２３１２３４’等）
【００４７】
ここで、数字文字列検索の際、数字の以外に、文字、括弧のような情報が検索されると、数字文字列は電話番号でないと判断する。
【００４８】
前述した手続きの通り、数字文字列検索の際、数字の以外の他の情報（文字、特殊文字等）無しで数字情報だけでなされたと判断されると、検索された数字文字列は電話番号と認識することになる。このような過程を経て文字メッセージに含まれている電話番号を検索、抽出することになる。勿論、本発明の実施形態のような電話番号検索アルゴリズムは、説明の便宜のためのものであり、文字メッセージ内で速かに電話番号を検索するアルゴリズムは多様に構成することができる。
【００４９】
ここで、文字メッセージにハイパーリンクされている複数個の電話番号が含まれている場合、（（１）ホンキルドンの携帯電話番号：０１１−０００３−３４４５、（２）ハンヘリムの携帯電話番号：０１６−３９２０−３９３９・・・等）、この中で、選択移動バーが位置したハイパーリンクされている電話番号を選択すると、同時にユーザインターフェース画面に該当電話番号が表示されている文字メッセージと文字メッセージの下段に電話かけメニュー／住所録格納メニューがリンクされている下位画面に連結される。また、選択移動バーが位置したハイパーリンクされている電話番号で通話キーボタンを押さえれば、該当電話番号に電話通話を試みて、住所録キーボタンを押さえれば、該当電話番号登録メニューが出力されて、名前、電話番号、写真、ベル音、住所など、多様な項目をキーボタンを操作して入力及び格納する機能を実行するリンク構造となっている。
【００５０】
ステップＳ２０４で、ハイパーリンクされている電話番号に選択移動バーが位置していると判断する場合、移動通信端末機のキー入力部１４０の中に通話キーボタン入力信号が受信されているか否かを判断する（Ｓ２０６）。ステップＳ２０６で、通話キーボタン入力信号が受信されていると判断する場合、マイクロプロセッサ１３０は、キー入力部１４０に備えられている数字キー、ファンクションキー、カーソル移動キーなどを操作して選択移動バーが位置している該当電話番号に電話通話を試みるように制御する（Ｓ２０８）。
【００５１】
また、ステップＳ２０６で、通話キーボタン入力信号が受信されないと判断する場合、移動通信端末機のキー入力部１４０の中に住所録キーボタン入力信号が受信されているか否かを判断する（Ｓ２１０）。ステップＳ２１０で、住所録キーボタン入力信号が受信されていると判断する場合、マイクロプロセッサ１３０は、キー入力部１４０に備えられている数字キー、ファンクションキー、カーソル移動キーなどを操作して、選択移動バーが位置している該当電話番号を住所録の電話番号簿に格納するように制御する（Ｓ２１２）。
【００５２】
また、本発明の他の実施形態であって、文字メッセージに含まれているハイパーリンクされている電話番号に選択移動バーが位置している状態で移動通信端末機のメニューキーボタンを選択すれば、‘格納’、‘電話かけ’、‘文字送り’などの機能モードがメニューとして出力される。次に、メニューのうち、どれか一つの機能モード選択信号が生成されれば、選択信号が生成された機能モード（通話／格納／文字送り等）を実行することになる。
【００５３】
また、本発明の他の実施形態であって、ステップＳ２０４を実行した後、移動通信端末機の住所録に既に格納されている電話番号であるか否かを判断して、既格納されている電話番号と判断すると、住所録に格納するステップを省略するように構成することができる。
【００５４】
また、本発明の他の実施形態であって、文字メッセージの下段に電話かけメニュー／住所録格納メニューをリンクさせて、メニュー選択信号の受信に従い電話通話／格納機能を遂行するステップを更に構成することができる。
【００５５】
また、本発明の他の実施形態に従って、カメラから入力される撮影されたイメージデータから数字情報だけを抽出して、抽出された数字情報で電話番号検索アルゴリズムに従い数字情報が電話番号であるか否かを判断した後、数字情報が電話番号である場合、前述したハイパーリンクされている電話番号の機能（電話通話／格納機能）を遂行するステップを更に構成することができる。
【００５６】
図３は、本発明の好ましい実施形態に係る文字メッセージに含まれている電話番号にハイパーリンク機能を提供し、電話かけメニューまたは住所録格納メニューが形成されている電話番号の通話／格納機能を遂行するユーザインターフェース画面の一例を示す図である。
【００５７】
文字メッセージが移動通信端末機に受信される場合、文字メッセージに含まれている電話番号は、電話番号処理プログラムによりハイパーリンクさせる。ハイパーリンクされている位置には、キー入力部１４０に備えられている数字キー、ファンクションキー、カーソル移動キーなどを操作して選択移動バーが位置することができ、選択移動バーが位置した電話番号に通話キーボタン入力信号が受信されれば、該当電話番号に電話通話を試みて、住所録キーボタン入力信号が受信されれば、該当電話番号を住所録に格納させる機能を実行する。
【００５８】
図３ａに示すように、文字メッセージに含まれている複数個の電話番号のうち、選択移動バーが位置した電話番号を選択すると、図３ｂの下位インターフェース画面へ移動して選択した電話番号の文字メッセージと文字メッセージの下段に電話かけメニューと住所録格納メニューが生成及びリンクされる。
【００５９】
移動通信端末機のキー入力部１４０に備えられている数字キー、ファンクションキー、カーソル移動キーなどを操作して、電話かけメニューまたは住所録格納メニューを選択して、電話通話／格納機能を具現したり、電話番号に選択移動バーを位置させた後、通話キーボタンや住所録キーボタンを選択して電話通話／格納機能を具現することができる。
【００６０】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施形態は本発明を限定するためのものでなく、説明するためのものであり、このような実施形態により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【００６１】
【図１】本発明の好ましい実施形態に係る文字メッセージに含まれている電話番号にハイパーリンク機能を提供する移動通信端末機の内部構成を示すブロック構成図である。
【図２】本発明の好ましい実施形態に係る文字メッセージに含まれている電話番号にハイパーリンク機能を提供する方法を示すフローチャートである。
【図３】本発明の好ましい実施形態に係る文字メッセージに含まれている電話番号にハイパーリンク機能を提供し、電話かけメニューまたは住所録格納メニューが形成されている電話番号の通話／格納機能を遂行するユーザインターフェース画面の一例を示す図である。
【図１】
2008544629.tif 000003
【図２】
2008544629.tif 000004
【図３】
2008544629.tif 000005
【国際調査報告】
2008544629.tif 000006
2008544629.tif 000007